(57)【要約】【課題】【解決手段】三脚（１）などのためのスタビライザー（１０）は、一端側で対応する脚部（２）に接続されるように配置され、他端側で共通に接続されて集められ、軸方向に互いに入れ子式に摺動可能な、少なくとも２つのロッド部材（１２、１３）を夫々有している、三脚の夫々の脚部のための複数のロッド（１１）と、予め成された調節に従って２つのロッド部材を互いに可逆的にロックする拘束手段（１４）とを有する。拘束手段は、一方向のロッド部材の相対的な軸方向の摺動を解放可能なようにブロックし、反対方向のロッド部材の自由な軸方向の摺動を可能にするために、ロッド部材間で一方向のみに動くような、一方向性タイプである。
2004522117.tif 000002
【特許請求の範囲】
【請求項１】
一端側で対応する脚部（２）に接続されるように配置され、他端側で共通に接続されて集められ、軸方向に互いに入れ子式に摺動可能な、少なくとも２つのロッド部材（１２、１３）を夫々有している、三脚の夫々の脚部（２）のための複数のロッド（１１）と、予め成された調節に従って前記２つのロッド部材を互いに可逆的にロックする拘束手段（１４）とを具備する、三脚（１）などのためのスタビライザー（１０）において、前記拘束手段は、一方向のロッド部材の相対的な軸方向の摺動を解放可能なようにブロックし、反対方向のロッド部材の自由な軸方向の摺動を可能にするために、ロッド部材（１２、１３）の間で一方向のみに動くような、一方向性タイプであることを特徴とするスタビライザー。
【請求項２】
前記拘束手段（１４）は、各ロッドにおいて、一端側で肩部（２１）、軸方向の反対側で傾斜面（２３）を規定している複数の切欠部（２０）を、２つのロッド部材（１２、１３）のうちの一方に有し、軸方向に傾斜する方向に摺動してガイドされ、切欠部（２０）と係合された状態となるようにガイドされ、及び係合される状態となるように付勢される摺動ブロック（２７）を、２つのロッド部材（１２、１３）のうちの他方に有し、この摺動ブロック（２７）は、一方向に前記肩部（２１）のうちの所定の１つに当接する当接面（３１）と、対応する切欠部（２０）から摺動ブロック（２７）を非係合にさせるために、前記一方向と反対の方向に、傾斜面（２３）上で摺動可能であるガイド面（３２）とを有する請求項１のスタビライザー（１０）。
【請求項３】
前記一方向は、ロッド部材（１２、１３）を入れ子式に引き出す方向である請求項１もしくは２のスタビライザー（１０）。
【請求項４】
前記摺動ブロック（２７）は、係合された状態で、切欠部（２０）に向けて弾性的に付勢される請求項２もしくは３のスタビライザー（１０）。
【請求項５】
前記傾斜する方向は、傾斜面（２３）の面にほぼ直交している請求項２乃至４のいずれか１のスタビライザー（１０）。
【請求項６】
前記傾斜面（２３）は、切頭円錐面を有する請求項２乃至５のいずれか１のスタビライザー（１０）。
【請求項７】
前記肩部（２１）は、ロッド部材（１２、１３）に対して径方向に延びている請求項２乃至６のいずれか１のスタビライザー。
【請求項８】
前記摺動ブロック（２７）は、これが切欠部（２０）と非係合にされるように動かすための押しボタン式制御部（３３）に接続されている請求項２乃至７のいずれか１のスタビライザー（１０）。
【請求項９】
前記押しボタン式制御部（３３）は、摺動ブロック（２７）と一体である請求項８のスタビライザー（１０）。
【請求項１０】
前記全ての請求項のうちのいずれか１のスタビライザー（１０）によって相互連結された少なくとも３本の脚部を具備する三脚（１）。
【発明の詳細な説明】
【技術分野】
【０００１】
本発明は、主要請求項の前段部に説明された特徴を有するタイプの、三脚などのための入れ子式ロッドを備えたスタビライザーに関する。
【背景技術】
【０００２】
この文脈で用いられる三脚という用語は、スタビライザーによって相互連結された少なくとも３本の脚部を有する、特に光学、写真、映画撮影の装置のための支持構造体を意味することを意図している。上述されたタイプの構造体は、同じ出願人による現在の製品によって知られている。
【０００３】
公知の三脚において、スタビライザーは、夫々の脚部に一端で接続され、反対側の端で共通に接続されて集まった、入れ子式のロッドを有するようにされている。
【０００４】
このようなロッドは、入れ子式に互いに摺動可能な２つのロッド部材と、互いに対するロッド部材の相対的な摺動を可逆的にブロックする拘束手段とを夫々有する。
【０００５】
通常は、使用される拘束手段は、クランプされ得るスリーブを有するか、ハンドル部もしくはレバーによってロックされるタイプのものである。どちらの場合にも、ロッド部材を所望の位置にロックしたり、使用後に三脚を閉じたり動かしたりすることが望ましいときにこれらを解放するためのロック手段に対し、操作者によって直接的な介入がなされる。
【発明の開示】
【発明が解決しようとする課題】
【０００６】
この第２の操作は、特に、例えば特定の不慮の状況の映像をとらえるために、閉じたり動かしたりしてこれを新しい位置に動かそうと迅速に動かすことが必要な場合が多いので、望ましくない。
【０００７】
かくして、例えば三本の脚部を有する三脚を閉じるためにスタビライザーの３本の脚部全てを解放することが必要なことは、明らかな障害である。
【０００８】
本発明が直面している技術的な問題は、三脚を閉じる作業を実質的に単純化し、容易にすることについての問題である。本発明の範囲内で、本発明の主たる目的は、スタビライザーの解放及び調節作業を向上させることである。
【０００９】
本発明の更なる目的は、片手による作業と、可能な範囲内のかなり静かな作業との両方を行い得るようにすることである。
【課題を解決するための手段】
【００１０】
この問題は、他の目的と同様に、本発明の以下の請求項に係って作られたスタビライザーによって直面され、解決される。
【００１１】
本発明の特徴と利点とを、添付図面を参照しながら非制限的な例を挙げて成された１つの好ましい実施形態の詳細な説明によって明らかにする。
【発明を実施するための最良の形態】
【００１２】
図面に示された本発明を実施するための最良の形態では、符号１が、入れ子式に伸長可能な符号２で示された脚部を備えた三脚全体を示す。この三脚は、これ自体は従来の構造を有する。三脚１の脚部２は、説明された例によれば、３本の摺動部２ａ、２ｂ、２ｃを有し、これら摺動部が、夫々の第１の端で全脚部が集まったスパイダー４を支持し、反対側の端で夫々の足部（foot）５を支持するタイプのものである。
【００１３】
３本の脚部２は、全体を通して符号１０で示されたスタビライザーによって相互連結されている。スタビライザー１０は、３本のロッド１１を有し、これらロッドは、一端で対応する脚部２に接続され、反対側の端で共通の接続部材１１ａに集まっている。
【００１４】
各ロッドは、軸方向Ｘに互いに入れ子式に摺動可能な、少なくとも２つのロッド部材１２、１３を有する。部材１２は、管状に形成され、内部にガイドされた部材１３を収納するのが好ましい。
【００１５】
ロッド部材１２、１３には、ロッド部材１２、１３を、予め設定された様々の調節位置に、互いに可逆的にロックするための、全体を通して符号１４で示された拘束手段が設けられている。これについては以下に説明する。
【００１６】
ロッド部材１３は、対応する脚部２に面する端でねじによって締められた第１のヒンジ部材１５を有する。ロッド部材は、この第１のヒンジ部材１５によって、脚部２の第２の摺動部分２ｂに属した第２のヒンジ部材１６に対して回動可能にされている。また、ロッド部材１３は、反対側の端でねじ１９によってガイドプラグ１８を支持するステム１７を有する。このステム１７によって、ロッド部材１３は、ロッド部材１２の管状部分内をガイドされる。
【００１７】
このステム１７に沿って、複数の環状切欠部２０が形成されている。この切欠部は、第１のヒンジ部材１５に面する肩部２１と、短い円筒部２２と、対応する肩部２１から離れるにつれて細くなる切頭円錐傾斜面２３とを有する。
【００１８】
提案された例では、５つの切欠部が形成されているが、切欠部の数は必要に応じて様々でよい。
【００１９】
切欠部２０は、ロッド部材１３に属した、ロッド部材を互いに可逆的にロックするための拘束手段の一部分を構成している。
【００２０】
このような拘束手段は、ロッド部材１２に結合され、スリーブ状のボディ２４を有した対応する手段と共働する。スリーブ状のボディの一端部２４ａは、ロッド部材１２の管状部分内で係合されている。スリーブ状のボディ２４には、軸方向のキャビティ２５が横切るように形成されており、このキャビティ内で、第１のロッド部材１３のステム１７がガイドされる。また、スリーブ状のボディは、軸Ｘに対して傾斜された軸Ｙを傾斜面２３の切頭円錐面にほぼ直交する方向に有するキャビティ２６を備えている。
【００２１】
キャビティ２６内では、ばね２８に対して軸Ｙの方向に動き得る滑働ブロック２７が、摺動可能にガイドされる。摺動ブロック２７は、ロッド部材１３のステム１７によって横切られる貫通孔２９と関連する。
【００２２】
摺動ブロック２７には、孔２９内で作用する突起３０が設けられており、この突起３０上には、ばね２８に対応する側面で１８０°未満の弧を描くように延びた環状の当接面３１と、この当接面３１にほぼ直交し、ステム１７に面するガイド面３２とが規定されている。当接面３１は、ロッド部材１２、１３の間の、脚部２の分岐が対応するロッドの入れ子式伸長の軸Ｘに沿った相対的な摺動を一方向でのみロックするために、所定の１切欠部２０の肩部２１と係合するようにされている。また、ガイド面３２は、対応する切欠部の傾斜面２３と係合することによって、これ自身の座部内でばね２８にぶつかるような摺動ブロック２７の摺動と、これに続く、２つのロッド部材の、一方が他方の中に入るように自由に引込めることとを決定する。
【００２３】
摺動ブロック２７には、また、切欠部２０から非係合にされるように動くための押しボタン式制御部３３が設けられている。このような押しボタン式制御部に、摺動ブロックが一体的に設けられているのが好ましい。
【００２４】
三脚１を組立てるためには、ロッドが引っ込められた状態で、脚部２が、スタビライザーによって許される限り広げられる。続いて、周囲の地面によって異なる支持状態に応じて、各ロッドの単一の調節が果される。
【００２５】
これを行うために、押しボタン３３が手で押されて、摺動ブロック２７が、対応する環状切欠部から非係合にされ、これによって、ロッド部材１２、１３の互いに対する自由な摺動が可能にされる。
【００２６】
摺動ブロック２７を解放することによって、摺動ブロックが対応する１切欠部２０内にはめ込まれてこれと係合するまでの２つのロッド部材の相対的な位置の必要な調節が可能で、三脚が、有効かつ安定したやり方で組立てられる。
【００２７】
再び位置付けしたいときは、脚部２を互いに閉じるだけで十分である。切欠部２０の切頭円錐傾斜面によってガイドされた摺動ブロック２７が、ロッド部材１３から非係合にされ、続いて、ロッド部材１２内の引込み位置に自由に摺動する。
【００２８】
かくして、本発明は、現在の最新技術による多くの利点を得ることによって、提案された目的を果す。これら利点は、特に三脚を閉じる位相での三脚の組立て作業の特筆すべき単純化、調節位相における作業の静かさ、片手によってさえも可能な高度の操作などである。
【図面の簡単な説明】
【００２９】
【図１】本発明に係って形成されたスタビライザーが設けられた三脚の斜視全体図である。
【図２】図１の三脚内で用いられるスタビライザーの平面図である。
【図３】図２の細部を拡大した断面図である。
【図１】
2004522117.tif 000003
【図２】
2004522117.tif 000004
【図３】
2004522117.tif 000005
【国際公開パンフレット】
2004522117.tif 000006
2004522117.tif 000007
2004522117.tif 000008
2004522117.tif 000009
2004522117.tif 000010
2004522117.tif 000011
2004522117.tif 000012
2004522117.tif 000013
2004522117.tif 000014
2004522117.tif 000015
2004522117.tif 000016
【国際調査報告】
2004522117.tif 000017
2004522117.tif 000018
2004522117.tif 000019